(57)【要約】  本発明の実施形態は、無線網接続の制御方法及びホットスポット装置(HS)を提供し、本方法は、アクセス装置に対する補助的な無線接続を設定し；補助的な無線接続の信号強度を測定し；信号強度が所定の閾値より大きかった場合に、無線網接続をイネーブルにする。HSは、アクセス装置に対する補助的な無線接続を設定する補助無線接続設定部と、補助的な無線接続の信号強度を測定する信号強度取得部と、信号強度が所定の閾値より大きかった場合に、無線網接続をイネーブルにする無線網接続イネーブル部とを有する。補助的な無線接続は、無線網接続の電力消費よりも少ない電力消費の無線接続方式を利用するように設定される接続である。本発明の実施の形態により提供される技術手段により、設定された無線網接続を手作業ではない方法でイネーブルにし、HSのインテリジェントパフォーマンスを向上させることができる。
2014522179.tif 000002
【特許請求の範囲】
【請求項１】
ワイヤレスネットワークコネクションの制御方法であって、
ホットスポット装置が、アクセス装置に対する補助的なワイヤレスコネクションを設定するステップと、
前記ホットスポット装置が、前記補助的なワイヤレスコネクションの信号強度を測定するステップと、
前記信号強度が所定の閾値より大きかった場合に、前記ホットスポット装置が前記ワイヤレスネットワークコネクションをイネーブルにするステップと
を有し、前記補助的なワイヤレスコネクションは、前記ワイヤレスネットワークコネクションの電力消費よりも少ない電力消費のワイヤレスコネクション方式を利用するように設定されるコネクションである、制御方法。
【請求項２】
前記補助的なワイヤレスコネクションが、ブルートゥース方式及びジグビー方式のうち何れかにより設定されるコネクションを有する、請求項１に記載の制御方法。
【請求項３】
前記ワイヤレスネットワークコネクションが、モバイルネットワークアクセス方式及びＷｉＦｉアクセス方式のうち少なくとも一方により設定されるコネクションを有する、請求項１又は２に記載の制御方法。
【請求項４】
前記ホットスポット装置が、前記補助的なワイヤレスコネクションの信号強度を測定するステップの後に、
前記信号強度が前記所定の閾値より小さかった場合に、前記ホットスポット装置が、前記ワイヤレスネットワークコネクションをディセーブルにするステップ
を更に有する請求項１−３の何れか１項に記載の制御方法。
【請求項５】
前記ホットスポット装置及び前記アクセス装置の間に前記ワイヤレスネットワークコネクションを設定した後に、
前記ホットスポット装置及び前記アクセス装置の間の前記補助的なワイヤレスコネクションが切れた場合に、前記ワイヤレスネットワークコネクションをディセーブルにする、請求項１−４の何れか１項に記載の制御方法。
【請求項６】
アクセス装置に対する補助的なワイヤレスコネクションを設定するように形成された補助ワイヤレスコネクション設定部と、
前記補助的なワイヤレスコネクションの信号強度を測定するように形成された信号強度取得部と、
前記信号強度が所定の閾値より大きかった場合に、ワイヤレスネットワークコネクションをイネーブルにするように形成されたワイヤレスネットワークコネクションイネーブル部と
を有し、前記補助的なワイヤレスコネクションは、前記ワイヤレスネットワークコネクションの電力消費よりも少ない電力消費のワイヤレスコネクション方式を利用するように設定されるコネクションである、ホットスポット装置。
【請求項７】
前記補助的なワイヤレスコネクション設定部が、ブルートゥース方式及びジグビー方式のうち何れかにより前記補助的なワイヤレスコネクションを設定するように形成されている、請求項６に記載のホットスポット装置。
【請求項８】
前記ワイヤレスネットワークコネクションイネーブル部が、モバイルネットワークアクセス方式及びＷｉＦｉアクセス方式のうち少なくとも一方により設定される前記ワイヤレスネットワークコネクションをイネーブルにするように形成されている、請求項６又は７に記載のホットスポット装置。
【請求項９】
当該ホットスポット装置における前記信号強度が前記所定の閾値より小さかった場合に、当該ホットスポット装置の前記ワイヤレスネットワークコネクションをディセーブルにするように形成された第１のワイヤレスネットワークコネクションディセーブル部
を更に有する請求項６−８の何れか１項に記載のホットスポット装置。
【請求項１０】
当該ホットスポット装置及び前記アクセス装置の間の前記補助的なワイヤレスコネクションが切れた場合に、前記ワイヤレスネットワークコネクションをディセーブルにするように形成された第２のワイヤレスネットワークコネクションディセーブル部
を更に有する請求項６−９の何れか１項に記載のホットスポット装置。
【発明の詳細な説明】
【技術分野】
【０００１】
本発明は通信の技術分野に関連し、特に無線ネットワーク接続を制御する方法及びホットスポット装置等に関連する。
【背景技術】
【０００２】
ホットスポット装置は、固定されたネットワークもWiFiアクセスも存在しない状況においてホットスポット装置が提供するWiFiチャネルを通じて人々がモバイルネットワークに適切にアクセスし、インターネットへのアクセスを実行できるようにするネットワークアクセス装置である。一般的なホットスポット装置は移動電話機、WiFi機能を備えたWANカード等を含む。ホットスポット装置はワイヤレスアクセスのオン/オフ(接続/切断)を切り替える機能を有する。現在、ワイヤレスアクセスのオン/オフを切り替える手段における切り替えは主に手作業(マニュアル)で制御されている。例えば、ワイヤレスアクセス機能のイネーブル及びディセーブルを制御する物理的な処理はホットスポット装置でなされる；或いはユーザが物理的なデータ回線(又はワイヤレスコネクション)によりホットスポット装置をコンピュータに接続し、そのコンピュータを通じてワイヤレスアクセス機能のイネーブル及びディセーブルをマニュアルで制御する。従来技術では、ワイヤレスアクセス機能のイネーブル及びディセーブルはユーザによりマニュアルで操作されなければならず、ワイヤレスアクセス機能のイネーブル及びディセーブルをインテリジェントに制御する機能は未だ実現されておらず、手作業による処理を上回る優れた体感品質をユーザに提供することはできていない。また、ユーザがワイヤレスアクセス機能(例えば、移動無線ネットワーク又はWiFi機能)をイネーブルにした後、ユーザが適切な時点でディセーブルしなかった場合、貴重なバッテリ電力を浪費することになってしまう。
【発明の概要】
【発明が解決しようとする課題】
【０００３】
実施の形態の課題は、ホットスポット装置がワイヤレスコネクションをインテリジェントにイネーブル又はディセーブルできるようにワイヤレスネットワークコネクションを制御する方法及びホットスポット装置等を提供することである。
【課題を解決するための手段】
【０００４】
実施の形態による制御方法は、
ワイヤレスネットワークコネクションの制御方法であって、
ホットスポット装置が、アクセス装置に対する補助的なワイヤレスコネクションを設定するステップと、
前記ホットスポット装置が、前記補助的なワイヤレスコネクションの信号強度を測定するステップと、
前記信号強度が所定の閾値より大きかった場合に、前記ホットスポット装置が前記ワイヤレスネットワークコネクションをイネーブルにするステップと
を有し、前記補助的なワイヤレスコネクションは、前記ワイヤレスネットワークコネクションの電力消費よりも少ない電力消費のワイヤレスコネクション方式を利用するように設定されるコネクションである、制御方法である。
【図面の簡単な説明】
【０００５】
【図１】ワイヤレスネットワークコネクションを制御する本発明の実施の形態1による方法例の概略的なフローチャートを示す図。
【図２】ワイヤレスネットワークコネクションを制御する本発明の実施の形態1による別の方法例の概略的なフローチャートを示す図。
【図３】本発明の実施の形態2によるホットスポット装置の概略図。
【図４】本発明の実施の形態2による別のホットスポット装置の概略図。
【発明を実施するための形態】
【０００６】
＜実施の形態の概要＞
本発明の実施の形態の課題は、ホットスポット装置がワイヤレスコネクションをインテリジェントにイネーブル又はディセーブルできるようにワイヤレスネットワークコネクションを制御する方法及びホットスポット装置等を提供し、装置の機能パフォーマンスを改善し、ユーザの体感品質を改善し、ホットスポット装置の待ち時間を短縮する。
【０００７】
本発明の実施の形態により提供される制御方法は、
ワイヤレスネットワークコネクションの制御方法であって、
ホットスポット装置が、アクセス装置に対する補助的なワイヤレスコネクションを設定するステップと、
前記ホットスポット装置が、前記補助的なワイヤレスコネクションの信号強度を測定するステップと、
前記信号強度が所定の閾値より大きかった場合に、前記ホットスポット装置が前記ワイヤレスネットワークコネクションをイネーブルにするステップと
を有し、前記補助的なワイヤレスコネクションは、前記ワイヤレスネットワークコネクションの電力消費よりも少ない電力消費のワイヤレスコネクション方式を利用するように設定されるコネクションである、制御方法である。
【０００８】
本発明の実施の形態により提供されるホットスポット装置は、
アクセス装置に対する補助的なワイヤレスコネクションを設定するように形成された補助ワイヤレスコネクション設定部と、
前記補助的なワイヤレスコネクションの信号強度を測定するように形成された信号強度取得部と、
前記信号強度が所定の閾値より大きかった場合に、前記ワイヤレスネットワークコネクションをイネーブルにするように形成されたワイヤレスネットワークコネクションイネーブル部と
を有し、前記補助的なワイヤレスコネクションは、前記ワイヤレスネットワークコネクションの電力消費よりも少ない電力消費のワイヤレスコネクション方式を利用するように設定されるコネクションである、ホットスポット装置である。
【０００９】
上記の手段により、ホットスポット装置とアクセス装置との間に補助的なワイヤレスコネクションが設定され；補助的なワイヤレスコネクションで通信されている信号の信号強度から、ホットスポット装置とアクセス装置との間の距離が判断され、その測定結果に従って、ホットスポット装置のワイヤレスネットワークコネクションがイネーブルにされる、すなわち補助的なワイヤレスコネクションの強度を測定することで、ワイヤレスネットワークコネクションをイネーブルにする制御が実行され、これにより、設定されたワイヤレスネットワークコネクションを手作業ではない方法でイネーブルにし、ホットスポット装置のインテリジェントパフォーマンスを向上させることが、上記の手段から分かる。
【００１０】
＜図面＞
本発明の実施の形態(場合によっては従来技術)による手段を説明するための図面であって実施の形態又は従来技術を説明するのに必要な添付図面が「図面の簡単な説明」の欄に示されている。当然に、以下の説明における添付図面は本発明の或る実施の形態にすぎず、当業者は創作的能力を発揮することなくこれらの実施の形態から他の実施の形態を把握できるであろう。
【００１１】
＜実施の形態の詳細な説明＞
＜実施の形態1＞
本発明の実施の形態1は、ワイヤレスネットワークコネクション又は無線ネットワーク接続を制御する方法を提供する。図1に示されているように、本方法は以下のステップを含む。
【００１２】
S101：ホットスポット装置が、アクセス装置に対する補助的なワイヤレスコネクションを設定する。
【００１３】
補助的なワイヤレスコネクションは、低消費電力のワイヤレスコネクション又は無線接続であり、具体的には、ブルートゥース(Bluetooth)(登録商標)方式又はジグビー(Zigbee)(登録商標)方式等により設定されてもよい。本発明はブルートゥース方式及びジグビー方式に限定されず、補助的なワイヤレスコネクションは、低消費電力の他の無線通信方式により設定されてもよい。
【００１４】
S102：ホットスポット装置が、補助的なワイヤレスコネクションの信号強度を測定する。
【００１５】
ステップ102において、ホットスポットにより測定される信号強度は、ホットスポット装置により測定される補助的なワイヤレスコネクションの受信信号強度インジケータ又は受信信号強度表示(RSSI)により示されてもよい。この場合において、様々なアクセス装置から送信される信号強度は異なるかもしれないことが理解される必要がある。あるアクセス装置から送信される信号の強度は高く、あるアクセス装置から送信される信号の強度は低いかもしれない；従って、同じ環境の中でホットスポットから様々なアクセス装置に至る距離が同じである場合でも、測定される受信信号強度は異なるかもしれない。従って、設計者はこの点を考慮して、適切な信号強度閾値を設定する必要がある。その閾値は以後のステップ103の判断の基礎となる。
【００１６】
ステップ103：信号強度が所定の閾値より大きかった場合、ホットスポット装置はワイヤレスネットワークコネクションをイネーブルにする。補助的なワイヤレスコネクション(auxiliary  wireless  connection)は、ワイヤレスネットワークコネクションの電力消費よりも少ない電力消費のワイヤレスコネクション方式を利用するように設定されるコネクションである。
【００１７】
ワイヤレスネットワークコネクションは、電力消費が多いワイヤレスコネクションであり、具体的には、モバイルネットワークアクセス方式及びWiFiアクセス方式のうち少なくとも一方により設定されるコネクションであってよい。モバイルネットワークアクセス方式は様々なネットワークアクセス方式を含んでよく、例えば、第3世代移動通信(3rd-Generation：3G)方式、ロングタームエボリューション(Long  Term  Evolution：LTE)方式、第4世代移動通信(4th-Generation：4G)方式、ワイドバンド符号分割多重アクセス(Wideband  Code  Division  Multiple  Access：WCDMA(登録商標))方式、時分割同期符号多重アクセス(Time  Division-Synchronous  Code  Division  Multiple  Access：TD-SCDMA)方式、符号分割多重アクセス(Code  Division  Multiple  Access：CDMA)方式、及びWiMax(Worldwide  Interoperability  for  Microwave  Access)方式等を含んでよい。
【００１８】
選択的に、ホットスポット装置がワイヤレスネットワークコネクションをイネーブルにする前に、先ず、ホットスポット装置がワイヤレスネットワークコネクションを現在既にイネーブルにしているか否かが判定されてもよい。ホットスポット装置がワイヤレスネットワークコネクションを現在イネーブルにしていなかった場合、ホットスポット装置のワイヤレスネットワークコネクションがイネーブルにされる。ただし、本発明の実施の形態はこの例に限定されない。
【００１９】
本発明の実施の形態1により提供されるワイヤレスネットワークコネクションの制御方法に関する上記の説明から分かるように、本方法によれば、ホットスポット装置とアクセス装置との間に補助的なワイヤレスコネクションが設定され；補助的なワイヤレスコネクションで通信されている信号の信号強度から、ホットスポット装置とアクセス装置との間の距離が判定され、その測定結果に従って、ホットスポット装置のワイヤレスネットワークコネクションがイネーブルにされる、すなわち補助的なワイヤレスコネクションの信号強度を測定することで、ワイヤレスネットワークコネクションをイネーブルにする制御が実行され、これにより、設定されたワイヤレスネットワークコネクションを手作業ではない方法でイネーブルにし、ホットスポット装置の高機能化又はインテリジェントパフォーマンスを向上させることができる。選択的に、図2に示されているように、本方法は後続のステップ104及び/又はステップ105を更に含んでもよい。
【００２０】
ステップ104：信号強度が所定の閾値より小さかった場合、ホットスポット装置はワイヤレスネットワークコネクションをディセーブルにする。
【００２１】
ステップ105：ホットスポット装置及びアクセス装置の間の補助的なワイヤレスコネクションが切れた場合、ホットスポット装置はワイヤレスネットワークコネクションをディセーブルにする。
【００２２】
本発明の実施の形態1による選択的なステップ104及び/又はステップ105により実現される更なる実施の形態では、所定の条件に合致した場合に、ホットスポット装置のワイヤレスネットワークコネクションが自動的にディセーブルにされ、ワイヤレスネットワークコネクションをディセーブルにし忘れたことに起因する無駄な電力消費を効果的に回避でき；補助ワイヤレスコネクションの電力消費はワイヤレスネットワークコネクションの電力消費より少ないので、本方法を利用することは、ホットスポット装置の待ち受け時間を効率的に改善する。
【００２３】
＜実施の形態2＞
本発明の実施の形態2はホットスポット装置を提供する。図3に示されているように、ホットスポット装置は、補助ワイヤレスコネクション設定部201、信号強度取得部202、及びワイヤレスネットワークコネクション設定部203を含む。
【００２４】
補助ワイヤレスコネクション設定部201は、アクセス装置に対する補助的なワイヤレスコネクションを設定するように形成され；補助的なワイヤレスコネクションは、低消費電力のワイヤレスコネクション又は無線接続であり、具体的には、ブルートゥース(Bluetooth)方式又はジグビー(Zigbee)方式等により設定されてもよい。本発明はブルートゥース方式及びジグビー方式に限定されず、補助的なワイヤレスコネクションは、低消費電力の他の無線通信方式により設定されてもよい。
【００２５】
信号強度取得部202は、補助的なワイヤレスコネクションの信号強度を測定するように形成され；ホットスポットにより測定される信号強度は、具体的には、ホットスポット装置により測定される補助的なワイヤレスコネクションの受信信号強度インジケータ又は受信信号強度表示(RSSI)により示されてもよい。
【００２６】
ワイヤレスネットワークコネクション設定部203は、信号強度が所定の閾値より大きかった場合に、ワイヤレスネットワークコネクションをイネーブルにするように形成されており、補助的なワイヤレスコネクションは、ワイヤレスネットワークコネクションの電力消費よりも少ない電力消費のワイヤレスコネクション方式を利用するように設定されるコネクションである。ワイヤレスネットワークコネクションは、電力消費が多いワイヤレスコネクションであり、具体的には、モバイルネットワークアクセス方式及びWiFiアクセス方式のうち少なくとも一方により設定されるコネクションであってよい。モバイルネットワークアクセス方式は様々なネットワークアクセス方式を含んでよく、例えば、第3世代移動通信(3rd-Generation：3G)方式、ロングタームエボリューション(Long  Term  Evolution：LTE)方式、第4世代移動通信(4th-Generation：4G)方式、ワイドバンド符号分割多重アクセス(Wideband  Code  Division  Multiple  Access：WCDMA)方式、時分割同期符号多重アクセス(Time  Division-Synchronous  Code  Division  Multiple  Access：TD-SCDMA)方式、符号分割多重アクセス(Code  Division  Multiple  Access：CDMA)方式、及びWiMax(Worldwide  Interoperability  for  Microwave  Access)方式等を含んでよい。
【００２７】
選択的に、ホットスポット装置がワイヤレスネットワークコネクションをイネーブルにする前に、先ず、ホットスポット装置がワイヤレスネットワークコネクションを現在既にイネーブルにしているか否かが判定されてもよい。ホットスポット装置がワイヤレスネットワークコネクションを現在イネーブルにしていなかった場合、ホットスポット装置のワイヤレスネットワークコネクションがイネーブルにされる。ただし、本発明の実施の形態はこの例に限定されない。
【００２８】
本発明の実施の形態2により提供されるホットスポット装置によれば、ホットスポット装置とアクセス装置との間に補助的なワイヤレスコネクションが設定され；補助的なワイヤレスコネクションで通信されている信号の信号強度から、ホットスポット装置とアクセス装置との間の距離が判定され、その測定結果に従って、ホットスポット装置のワイヤレスネットワークコネクションがイネーブルにされる、すなわち補助的なワイヤレスコネクションの信号強度を測定することで、ワイヤレスネットワークコネクションをイネーブルにする制御が実行され、これにより、設定されたワイヤレスネットワークコネクションを手作業ではない方法でイネーブルにし、ホットスポット装置の高機能化又はインテリジェントパフォーマンスを向上させることができる。
【００２９】
選択的に、本発明の実施の形態2は、第1のワイヤレスネットワークコネクションディセーブル部204又は第2のワイヤレスネットワークコネクションディセーブル部205のような選択的な処理部を更に含んでいてもよい。
【００３０】
第1のワイヤレスネットワークコネクションディセーブル部204は、ホットスポット装置における信号強度が所定の閾値より小さかった場合、ホットスポット装置のワイヤレスネットワークコネクションをディセーブルにするように形成されている。
【００３１】
第2のワイヤレスネットワークコネクションディセーブル部205は、ホットスポット装置及びアクセス装置の間の補助的なワイヤレスコネクションが切れた場合、ワイヤレスネットワークコネクションをディセーブルにするように形成されている。
【００３２】
本発明の実施の形態2による選択的なホットスポット装置により実現される更なる実施の形態では、所定の条件に合致した場合に、ホットスポット装置のワイヤレスネットワークコネクションが自動的にディセーブルにされ、ワイヤレスネットワークコネクションをディセーブルにし忘れたことに起因する無駄な電力消費を効果的に回避でき；補助ワイヤレスコネクションの電力消費はワイヤレスネットワークコネクションの電力消費より少ないので、本方法を利用することは、ホットスポット装置の待ち受け時間を効率的に改善する。
【００３３】
上記の実施の形態は本発明を限定するのではなく本発明による手段を説明することが単に意図されているにすぎない。本発明は上記の実施の形態を参照しながら詳細に説明されたが、本発明の実施の形態の範囲及び精神から逸脱することなく、上記の実施の形態において説明された手段に対して更なる修正を施してよいこと及び説明された手段に対して等価的な置換を施してよいことを、当業者は理解できる。
【００３４】
上記の方法の実施の形態を実施するためのステップの全部又は一部は、ハードウェアにより実施されてもよいし、或いは関連するハードウェアを制御するプログラムを利用することで実施されてもよいことが当業者に理解される点に留意を要する。プログラムはコンピュータにより読み取ることが可能な記憶媒体に保存されてもよく、記憶媒体は、リードオンリメモリ、フラッシュメモリ、磁気ディスク、光ディスク又はハードディスク等である。プログラムが実行されると、個々のステップが実行される。
【００３５】
ホットスポット装置はアクセス装置に対する補助的なワイヤレスコネクションを設定し；ホットスポット装置は補助的なワイヤレスコネクションの信号強度を測定し；ホットスポット装置は、信号強度が所定の閾値より大きかった場合に、ワイヤレスネットワークコネクションをイネーブルにし、補助的なワイヤレスコネクションは、前記ワイヤレスネットワークコネクションの電力消費よりも少ない電力消費のワイヤレスコネクション方式を利用するように設定されるコネクションである。
【００３６】
＜関連出願＞
本願は2012年2月29日付けで中国特許庁に出願された中国特許出願第201210049955.7号「METHOD  FOR  CONTROLLING  WIRELESS  NETWORK  CONNECTION  AND  HOTSPOT  DEVICE」による優先的利益を享受し、中国特許出願の内容全体がリファレンスに組み入れられている。
【図１】
2014522179.tif 000003
【図２】
2014522179.tif 000004
【図３】
2014522179.tif 000005
【図４】
2014522179.tif 000006
【手続補正書】
【提出日】平成26年1月29日(2014.1.29)
【手続補正１】
【補正対象書類名】特許請求の範囲
【補正対象項目名】全文
【補正方法】変更
【補正の内容】
【特許請求の範囲】
【請求項１】
ワイヤレスネットワークコネクションの制御方法であって、
ホットスポット装置が、アクセス装置に対する補助的なワイヤレスコネクションを設定するステップと、
前記ホットスポット装置が、前記補助的なワイヤレスコネクションの信号強度を測定するステップと、
前記信号強度が所定の閾値より大きかった場合に、前記ホットスポット装置が前記ワイヤレスネットワークコネクションをイネーブルにするステップと
を有し、前記補助的なワイヤレスコネクションは、前記ワイヤレスネットワークコネクションの電力消費よりも少ない電力消費のワイヤレスコネクション方式を利用するように設定されるコネクションである、制御方法。
【請求項２】
前記補助的なワイヤレスコネクションが、ブルートゥース方式及びジグビー方式のうち何れかを使用することで設定されるコネクションを有する、請求項１に記載の制御方法。
【請求項３】
前記ワイヤレスネットワークコネクションが、モバイルネットワークアクセス方式及びＷｉＦｉアクセス方式のうち少なくとも一方を使用することで設定されるコネクションを有する、請求項１又は２に記載の制御方法。
【請求項４】
前記ホットスポット装置が、前記補助的なワイヤレスコネクションの信号強度を測定するステップの後に、
前記信号強度が前記所定の閾値より小さかった場合に、前記ホットスポット装置が、前記ワイヤレスネットワークコネクションをディセーブルにするステップ
を更に有する請求項１−３の何れか１項に記載の制御方法。
【請求項５】
前記ホットスポット装置及び前記アクセス装置の間に前記ワイヤレスネットワークコネクションを設定した後に、
前記ホットスポット装置及び前記アクセス装置の間の前記補助的なワイヤレスコネクションが切れた場合に、前記ワイヤレスネットワークコネクションをディセーブルにする、請求項１−４の何れか１項に記載の制御方法。
【請求項６】
アクセス装置に対する補助的なワイヤレスコネクションを設定するように形成された補助ワイヤレスコネクション設定部と、
前記補助的なワイヤレスコネクションの信号強度を測定するように形成された信号強度取得部と、
前記信号強度が所定の閾値より大きかった場合に、ワイヤレスネットワークコネクションをイネーブルにするように形成されたワイヤレスネットワークコネクションイネーブル部と
を有し、前記補助的なワイヤレスコネクションは、前記ワイヤレスネットワークコネクションの電力消費よりも少ない電力消費のワイヤレスコネクション方式を利用するように設定されるコネクションである、ホットスポット装置。
【請求項７】
前記補助的なワイヤレスコネクション設定部が、ブルートゥース方式及びジグビー方式のうち何れかを使用することで前記補助的なワイヤレスコネクションを設定するように形成されている、請求項６に記載のホットスポット装置。
【請求項８】
前記ワイヤレスネットワークコネクションイネーブル部が、モバイルネットワークアクセス方式及びＷｉＦｉアクセス方式のうち少なくとも一方を使用することで設定される前記ワイヤレスネットワークコネクションをイネーブルにするように形成されている、請求項６又は７に記載のホットスポット装置。
【請求項９】
当該ホットスポット装置における前記信号強度が前記所定の閾値より小さかった場合に、当該ホットスポット装置の前記ワイヤレスネットワークコネクションをディセーブルにするように形成された第１のワイヤレスネットワークコネクションディセーブル部
を更に有する請求項６−８の何れか１項に記載のホットスポット装置。
【請求項１０】
当該ホットスポット装置及び前記アクセス装置の間の前記補助的なワイヤレスコネクションが切れた場合に、前記ワイヤレスネットワークコネクションをディセーブルにするように形成された第２のワイヤレスネットワークコネクションディセーブル部
を更に有する請求項６−９の何れか１項に記載のホットスポット装置。
【手続補正２】
【補正対象書類名】明細書
【補正対象項目名】００１３
【補正方法】変更
【補正の内容】
【００１３】
補助的なワイヤレスコネクションは、低消費電力のワイヤレスコネクション又は無線接続であり、具体的には、ブルートゥース(Bluetooth)(登録商標)方式又はジグビー(Zigbee)(登録商標)方式等を使用することで設定されてもよい。本発明はブルートゥース方式及びジグビー方式に限定されず、補助的なワイヤレスコネクションは、低消費電力の他の無線通信方式を使用することで設定されてもよい。
【手続補正３】
【補正対象書類名】明細書
【補正対象項目名】００１７
【補正方法】変更
【補正の内容】
【００１７】
ワイヤレスネットワークコネクションは、電力消費が多いワイヤレスコネクションであり、具体的には、モバイルネットワークアクセス方式及びWiFiアクセス方式のうち少なくとも一方を使用することで設定されるコネクションであってよい。モバイルネットワークアクセス方式は様々なネットワークアクセス方式を含んでよく、例えば、第3世代移動通信(3G)方式、ロングタームエボリューション(LTE)方式、第4世代移動通信(4G)方式、ワイドバンド符号分割多重アクセス(WCDMA)方式、時分割同期符号多重アクセス(TD-SCDMA)方式、符号分割多重アクセス(CDMA)方式、及びWiMax(Worldwide  Interoperability  for  Microwave  Access)方式等を含んでよい。
【手続補正４】
【補正対象書類名】明細書
【補正対象項目名】００２４
【補正方法】変更
【補正の内容】
【００２４】
補助ワイヤレスコネクション設定部201は、アクセス装置に対する補助的なワイヤレスコネクションを設定するように形成され；補助的なワイヤレスコネクションは、低消費電力のワイヤレスコネクション又は無線接続であり、具体的には、ブルートゥース(Bluetooth)方式又はジグビー(Zigbee)方式等を使用することで設定されてもよい。本発明はブルートゥース方式及びジグビー方式に限定されず、補助的なワイヤレスコネクションは、低消費電力の他の無線通信方式を使用することで設定されてもよい。
【国際調査報告】
2014522179.tif 000007
2014522179.tif 000008
2014522179.tif 000009
2014522179.tif 000010